(57)【要約】【課題】降雨の状態にバラツキを生ぜず、試験対象平面内で均一な降雨の状態を作り出すことができる降雨装置を提供すること。【解決手段】水供給機構Ａから供給される水を降雨機構Ｂを介して散布するようにしたものであって、降雨機構Ｂを、水の通過空間を均一に形成した整流板１０、この整流板１０を通過した水を受け入れる、底板を水の通過空間を均一に形成した降雨板１２で構成したバンク１１、降雨板１２に対して水平方向の位置を調節可能に配設した水の通過空間を均一に形成した降雨粒径調整板１３及びバンク１１を振動させる振動機１４、１５で構成する。【選択図】図１
2019045423.tif 000002
【特許請求の範囲】
【請求項１】
水供給機構から供給される水を降雨機構を介して散布するようにした降雨装置であって、前記降雨機構を、水の通過空間を均一に形成した整流板と、該整流板を通過した水を受け入れる、底板を水の通過空間を均一に形成した降雨板で構成したバンクと、降雨板に対して水平方向の位置を調節可能に配設した水の通過空間を均一に形成した降雨粒径調整板と、バンクを振動させる振動機とで構成したことを特徴とする降雨装置。
【請求項２】
前記水供給機構が、整流板に対して水を散布する散水ノズルを備えてなることを特徴とする請求項１に記載の降雨装置。
【請求項３】
前記整流板、降雨板及び降雨粒径調整板を、多孔板で構成したことを特徴とする請求項１又は２に記載の降雨装置。
【請求項４】
前記振動機を、バンクを水平方向に振動させる横振動機と、鉛直方向に振動させる縦振動機とで構成したことを特徴とする請求項１、２又は３に記載の降雨装置。
【発明の詳細な説明】
【技術分野】
【０００１】
本発明は、降雨装置に関し、例えば、降雨に関する環境試験等を行うための降雨装置に関するものである。
【背景技術】
【０００２】
従来、降雨に関する環境試験等を行うための降雨装置においては、ノズルから水を噴射する方式のものが汎用されている（例えば、特許文献１参照。）。
【先行技術文献】
【特許文献】
【０００３】
【特許文献１】特開平８−２４７３２２号公報
【発明の概要】
【発明が解決しようとする課題】
【０００４】
これまでの環境試験装置における、ノズルから水を噴射する方式の降雨装置においては、ノズルの配置によって降雨の状態にバラツキが生じやすく、正確な試験結果が得られないという問題があった。
【０００５】
本発明は、上記従来のノズルから水を噴射する方式の降雨装置の有する問題点に鑑み、降雨の状態にバラツキを生ぜず、試験対象平面内で均一な降雨の状態を作り出すことができる降雨装置を提供することを目的とする。
【課題を解決するための手段】
【０００６】
上記目的を達成するため、本発明の降雨装置は、水供給機構から供給される水を降雨機構を介して散布するようにした降雨装置であって、前記降雨機構を、水の通過空間を均一に形成した整流板と、該整流板を通過した水を受け入れる、底板を水の通過空間を均一に形成した降雨板で構成したバンクと、降雨板に対して水平方向の位置を調節可能に配設した水の通過空間を均一に形成した降雨粒径調整板と、バンクを振動させる振動機とで構成したことを特徴とする。
ここで、バンクは、振動機によってバンクを振動させることで、試験対象平面内で均一な降雨の状態を作り出すことができるように、降雨板による降雨範囲全体で流下する水量を均一にするために、降雨板上には、試験を行う降水量に見合う十分な水位、具体的には、整流板が浸る程度の水位に設定、維持できる構造を有する水槽構造とし、水供給機構はそのための給水能力があるものとすることが好ましい。
【０００７】
この場合において、前記水供給機構が、整流板に対して水を散布する散水ノズルを備えてなることができる。
【０００８】
また、前記整流板、降雨板及び降雨粒径調整板を、多孔板で構成することができる。
【０００９】
また、前記振動機を、バンクを水平方向に振動させる横振動機と、鉛直方向に振動させる縦振動機とで構成することができる。
【発明の効果】
【００１０】
本発明の降雨装置によれば、水供給機構から供給される水を降雨機構を介して散布するようにした降雨装置であって、前記降雨機構を、水の通過空間を均一に形成した整流板と、該整流板を通過した水を受け入れる、底板を水の通過空間を均一に形成した降雨板で構成したバンクと、降雨板に対して水平方向の位置を調節可能に配設した水の通過空間を均一に形成した降雨粒径調整板と、バンクを振動させる振動機とで構成することにより、簡単な構造の装置で、降雨の状態にバラツキを生ぜず、試験対象平面内で均一な降雨の状態を作り出すことができる。
【００１１】
また、前記水供給機構が、整流板に対して水を散布する散水ノズルを備えてなるようにすることにより、整流板に対して水を、広範囲に、かつ、水の衝撃を付与することなく散布することで、一層、降雨の状態にバラツキを生じにくくすることができる。
【００１２】
また、前記整流板、降雨板及び降雨粒径調整板を、多孔板で構成することにより、汎用の部材を用いることができる。
【００１３】
また、前記振動機を、バンクを水平方向に振動させる横振動機と、鉛直方向に振動させる縦振動機とで構成することにより、降雨の状態に多様性を持たせることができる。
【図面の簡単な説明】
【００１４】
【図１】本発明の降雨装置の一実施例を示す説明図である。
【図２】同降雨装置の降雨板を構成するパンチングメタルの孔の説明図である。
【発明を実施するための形態】
【００１５】
以下、本発明の降雨装置の実施の形態を、図面に基づいて説明する。
【００１６】
図１〜図２に、本発明の降雨装置の一実施例を示す。
この降雨装置は、水供給機構Ａから供給される水を降雨機構Ｂを介して散布するようにしたものであって、水供給機構Ａを、水タンク１、温度センサ２、水の冷却器３、水の加熱器４、ポンプ５、降雨量制御弁６、流量計又は圧力計からなる降雨センサ７、降雨ヘッダ８及び降雨ヘッダ８に配設した散水ノズル９で構成し、降雨機構Ｂを、水の通過空間を均一に形成した整流板１０、この整流板１０を通過した水を受け入れる、底板を水の通過空間を均一に形成した降雨板１２で構成したバンク１１、降雨板１２に対して水平方向の位置を調節可能に配設した水の通過空間を均一に形成した降雨粒径調整板１３及びバンクを振動させる振動機１４、１５で構成するようにしている。
【００１７】
この場合において、整流板１０に対して水を散布する散水ノズル９は、整流板１０に対して水を、広範囲に、かつ、水の衝撃を付与することなく散布することで、降雨の状態にバラツキを生じにくくするものである。
【００１８】
また、整流板１０、降雨板１２及び降雨粒径調整板１３は、水の通過空間を均一に形成した多孔板、例えば、パンチングメタルで構成することができる。
【００１９】
そして、降雨粒径調整板１３を、降雨板１２に摺接させた状態で、降雨板１２に対して水平方向の位置を調節可能に配設することによって、水の通過空間の大きさを変えることで、降雨の粒径（雨滴の大きさ）を調節することができる。
【００２０】
降雨板１２と降雨粒径調整板１３の位置関係は、上下を逆にすることもできるが、両者をパンチングメタルで構成する場合、下側に位置する方（本実施例においては、降雨板１２。）のパンチングメタルの孔１２ａの形状を、図２に示すように、例えば、バーリング加工をすることによって、周縁にフランジ１２ｂを形成するようにしたものを用いることが好ましい。
これによって、降雨板１２（又は降雨粒径調整板１３）から落下する水が、水の表面張力によって降雨板１２（又は降雨粒径調整板１３）から雨滴とならずに滴り落ちることを防止することができる。
【００２１】
また、振動機１４、１５は、バンク１１を水平方向に振動させる横振動機１４と、鉛直方向に振動させる縦振動機１５とで構成することができる。
横振動機１４及び縦振動機１５は、ＯＮ−ＯＦＦ及び振動の大きさを任意の大きさに調節できるようにすることが好ましい。
これにより、降雨の状態に多様性を持たせることができる。
【００２２】
この場合、振動機１４、１５は、バンク１１を振動させることによって、降雨板１２及び降雨粒径調整板１３が共に振動するようにする。
一方、整流板１０は、振動しないように、バンク１１にばね部材（図示省略）等の緩衝機構を介して取り付けるか、固定側からバンク１１内に吊り下げるようにして取り付けるようにすることが好ましい。
【００２３】
この降雨装置は、水供給機構Ａから供給される、温度センサ２、水の冷却器３、水の加熱器４、降雨量制御弁６及び降雨センサ７等によって、温度及び流量又は圧力を制御した水を、散水ノズル９から水の通過空間を均一に形成した整流板１０に対して、広範囲に、かつ、水の衝撃を付与することなく散布し、整流板１０を通過した水をバンク１１に受け入れ、振動機１４、１５によって振動される水の通過空間を均一に形成した降雨板１２及び降雨粒径調整板１３を介して滴下させることにより、簡単な構造の装置で、降雨の状態にバラツキを生ぜず、試験対象平面内で均一な降雨の状態を作り出すようにすることができる。
ここで、バンク１１は、振動機１４、１５によってバンク１１を振動させることで、試験対象平面内で均一な降雨の状態を作り出すことができるように、降雨板１２による降雨範囲全体で流下する水量を均一にするために、降雨板１２上には、試験を行う降水量に見合う十分な水位、具体的には、整流板１０が浸る程度の水位に設定、維持できる構造を有する水槽構造とし、水供給機構Ａはそのための給水能力があるものとすることが好ましい。
この場合、降雨板１２の各孔、例えば、降雨板１２を構成するパンチングメタルの孔１２ａから流下する液体（水）の流速ｖ（ｍ／ｓ）は、以下の式（トリチェリの定理）で規定されるため、バンク１１の水位は、鉛直方向の振動の際も、試験条件で規定された、降水量を十分に賄うことができるようにする必要がある。
ｖ＝（２ｇｈ）１／２
ここで、ｈは水深（ｍ）である。
【００２４】
以上、本発明の降雨装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の降雨装置は、降雨の状態にバラツキを生ぜず、試験対象平面内で均一な降雨の状態を作り出すことができる特性を有していることから、降雨に関する環境試験等を行うための降雨装置の用途に好適に用いることができる。
【符号の説明】
【００２６】
Ａ  水供給機構
Ｂ  降雨機構
１  水タンク
２  温度センサ
３  冷却器
４  加熱器
５  ポンプ
６  降雨量制御弁
７  降雨センサ
８  降雨ヘッダ
９  散水ノズル
１０  整流板
１１  バンク
１２  降雨板
１２ａ  孔
１２ｂ  フランジ
１３  降雨粒径調整板
１４  横振動機
１５  縦振動機
【図１】
2019045423.tif 000003
【図２】
2019045423.tif 000004